(57)【要約】【課題】半田代の長さを安定して確保した状態で接続作業を行うことができ、回路基板に対して信号線接続を十分な強度で半田付け接続することができる電子内視鏡の先端部を提供すること。【解決手段】挿入部１内に挿通配置された信号ケーブル１２の先端から回路基板１０の基板面に対向する方向に引き出された信号線１３の先端部分１３ａが、回路基板１０の外縁部に設けられている接続端子部２０に接続された電子内視鏡の先端部において、回路基板１０の接続端子部２０を、信号線１３の先端部分１３ａが嵌め込まれる溝状であって信号線１３の先端面が当接する当接面２２を有する形状に形成した。【選択図】      図１
2006068057.tif 000002
【特許請求の範囲】
【請求項１】
挿入部の先端に固体撮像素子が内蔵されて、上記固体撮像素子の背面側に上記固体撮像素子と平行の向きに回路基板が配置され、上記挿入部内に挿通配置された信号ケーブルの先端から上記回路基板の基板面に対向する方向に引き出された信号線の先端部分が、上記回路基板の外縁部に設けられている接続端子部に接続された電子内視鏡の先端部において、
上記回路基板の接続端子部を、上記信号線の先端部分が嵌め込まれる溝状であって上記信号線の先端面が当接する当接面を有する形状に形成したことを特徴とする電子内視鏡の先端部。
【請求項２】
上記接続端子部の溝底面と当接面の双方に導電性の半田付ランドが形成されている請求項１記載の電子内視鏡の先端部。
【発明の詳細な説明】
【技術分野】
【０００１】
この発明は電子内視鏡の先端部に関する。
【背景技術】
【０００２】
挿入部の先端に固体撮像素子を内蔵する電子内視鏡においては、固体撮像素子の駆動回路等を構成する回路基板が固体撮像素子の後方に配置されているのが普通であり、回路基板を固体撮像素子の背面側に固体撮像素子と平行の向きに配置することにより、全体の長さを短くして電子内視鏡の先端硬質部長を短く構成することができる（例えば、特許文献１）。
【特許文献１】特開平１１−４７０８４
【発明の開示】
【発明が解決しようとする課題】
【０００３】
上述のような従来の電子内視鏡の先端部においては、図４に示されるように、挿入部内に挿通配置された信号ケーブルの信号線９０の先端部分が、回路基板８０の基板面に対向する向きに引き出されて、回路基板８０の外縁部に溝状に形成された接続端子部８１に嵌め込まれ、接続端子部８１の溝底面に形成された半田付ランド８２に半田付け接続されている。
【０００４】
しかし、そのような構成においては、半田付けされる信号線９０の先端部分の長さが安定せず、例えば図５に示されるように半田代の長さが不十分な状態で接続作業が行われて、所定の半田付け強度が確保できない場合がある。また、正しく接続作業が行われた場合でも、半田付けが一面にしか行われないので、十分な接続強度が得られずに使用環境によっては剥離してしまう場合がある。
【０００５】
そこで本発明は、半田代の長さを安定して確保した状態で接続作業を行うことができ、回路基板に対して信号線接続を十分な強度で半田付け接続することができる電子内視鏡の先端部を提供することを目的とする。
【課題を解決するための手段】
【０００６】
上記の目的を達成するため、本発明の電子内視鏡の先端部は、挿入部の先端に固体撮像素子が内蔵されて、固体撮像素子の背面側に固体撮像素子と平行の向きに回路基板が配置され、挿入部内に挿通配置された信号ケーブルの先端から回路基板の基板面に対向する方向に引き出された信号線の先端部分が、回路基板の外縁部に設けられている接続端子部に接続された電子内視鏡の先端部において、回路基板の接続端子部を、信号線の先端部分が嵌め込まれる溝状であって信号線の先端面が当接する当接面を有する形状に形成したものである。
【０００７】
なお、接続端子部の溝底面と当接面の双方に導電性の半田付ランドが形成されていると、半田付け強度がより向上する。
【発明の効果】
【０００８】
本発明によれば、回路基板の接続端子部を、信号線の先端部分が嵌め込まれる溝状であって信号線の先端面が当接する当接面を有する形状に形成したことにより、半田代の長さを安定して確保した状態で接続作業を行うことができ、回路基板に対して信号線接続を十分な強度で半田付け接続することができる。
【発明を実施するための最良の形態】
【０００９】
挿入部の先端に固体撮像素子が内蔵されて、固体撮像素子の背面側に固体撮像素子と平行の向きに回路基板が配置され、挿入部内に挿通配置された信号ケーブルの先端から回路基板の基板面に対向する方向に引き出された信号線の先端部分が、回路基板の外縁部に設けられている接続端子部に接続された電子内視鏡の先端部において、回路基板の接続端子部を、信号線の先端部分が嵌め込まれる溝状であって信号線の先端面が当接する当接面を有する形状に形成し、接続端子部の溝底面と当接面の双方に導電性の半田付ランドを形成する。
【実施例】
【００１０】
図面を参照して本発明の実施例を説明する。
図３は電子内視鏡の挿入部１の先端部分を示しており、細長い可撓管状に形成された挿入部１の最先端部分に先端部本体２が連結され、その先端部本体２の最先端面に観察窓３と照明窓（図示せず）及び処置具突出口４等が配置されている。５は、処置具突出口４の後方に配置されている処置具挿通チャンネルである。
【００１１】
観察窓３の奥の先端部本体２内には対物光学系６が配置されていて、その対物光学系６による被写体の投影位置に、例えばＣＣＤ（電荷結合素子）等からなる固体撮像素子７の受光面７ａが配置されている。
【００１２】
この実施例においては、対物光学系６の光軸と先端部本体２の軸線とが平行になるようにレイアウトされていて、固体撮像素子７の受光面７ａは対物光学系６の光軸に対して垂直の向きに配置されている。
【００１３】
固体撮像素子７の背面側には、固体撮像素子７の駆動回路等を構成する例えばコンデンサやトランジスタ等のような電子部品８が搭載された回路基板１０が、固体撮像素子７と平行の向きに配置されている。１１は、固体撮像素子７から後方に延出して回路基板１０側と接続されたリードである。
【００１４】
挿入部１内には、固体撮像素子７において得られた撮像信号等を伝送するための信号ケーブル１２が全長にわたって軸線と平行方向に挿通配置されていて、信号ケーブル１２の先端から回路基板１０の基板面に対向する方向に引き出された信号線１３の先端部分が、回路基板１０の外縁部に設けられている接続端子部２０に半田付けによって接続されている。
【００１５】
図１は、そのような接続端子部２０付近の状態を示しており、信号線１３の数に合わせて多数設けられた接続端子部２０は、回路基板１０を単体で示す図２にも示されるように、各々が信号線１３の先端から絶縁被覆１３ｂが剥がされて剥き出しになった導線１３ａを嵌め込むのに丁度よい溝状に形成されている。２１はその溝底面である。
【００１６】
ただし、各接続端子部２０の後方側の部分は、信号線１３を沿わせることができるように回路基板１０の厚みの後端部まで溝状の接続端子部２０が形成されているが、前方側の部分は回路基板１０の厚みの前端部まで達しておらず、接続端子部２０の最先端部分は、信号線１３の先端面（即ち、導線１３ａの先端面）が当接する当接面２２になっている。
【００１７】
そして、図１に示されるように、接続端子部２０の溝底面２１と当接面２２の双方にまたがって接続端子部２０全体に導電性の半田付ランド２３が形成されていて、接続端子部２０に嵌め込まれた信号線１３の導線１３ａが半田付け３０によりその半田付ランド２３に接続固着されている。
【００１８】
したがって、信号線１３を回路基板１０の接続端子部２０に接続する作業の際には、信号線１３の導線１３ａの先端面を接続端子部２０の当接面２２に押し付けた状態で導線１３ａを半田付け３０で半田付ランド２３に固着することにより、常に所定の半田代の長さを確保することができる。
【００１９】
また、半田付ランド２３が接続端子部２０の溝底面２１だけでなく当接面２２にも形成されていてその双方に対して半田付け３０が固着されるので、回路基板１０に対して信号線１３を半田付け３０により十分な強度で接続することができる。
【図面の簡単な説明】
【００２０】
【図１】本発明の実施例の電子内視鏡の先端部の信号線接続部の側面断面図である。
【図２】本発明の実施例の電子内視鏡の先端部の回路基板の単体の斜視図である。
【図３】本発明の実施例の電子内視鏡の挿入部の先端付近の側面断面図である。
【図４】従来の電子内視鏡の先端部の良好な信号線接続部の略示斜視図である。
【図５】従来の電子内視鏡の先端部の不良な信号線接続部の略示斜視図である。
【符号の説明】
【００２１】
１  挿入部
２  先端部本体
７  固体撮像素子
８  電子部品
１０  回路基板
１２  信号ケーブル
１３  信号線
１３ａ  導線（信号線の先端部分）
２０  接続端子部
２１  溝底面
２２  当接面
２３  半田付ランド
３０  半田付け
【図１】
2006068057.tif 000003
【図２】
2006068057.tif 000004
【図３】
2006068057.tif 000005
【図４】
2006068057.tif 000006
【図５】
2006068057.tif 000007